(57)【要約】【課題】低コストでエクステンションを取り付けることができるスペーサを提供する。【解決手段】エクステンション４の底板部４４とフェンダライニング３の閉塞部３１との隙間をスペーサ５の立設壁５２によって塞ぐことにより、バンパ２にエクステンション４を取り付ける場合であっても、エクステンション４を取り付けない場合のフェンダライニング３を流用することができる。従って、部品を共通化して低コストでエクステンション４を取り付けることができる。【選択図】図２
2018043712.tif 000002
【特許請求の範囲】
【請求項１】
車幅方向に沿って延びるとともに端部においてタイヤ側を向いた開口を有するバンパと、前記開口を覆う閉塞部を有してホイールアーチを形成するフェンダライニングと、前記閉塞部に対して下方側に離隔して設けられる底板部を有するとともに前記バンパを下方に延長するように取り付けられるエクステンションと、を備えたバンパ構造に設けられるスペーサであって、
前記バンパおよび前記エクステンションのうち少なくとも一方に支持される被支持部と、
前記底板部の上面に載置される載置板部と、
前記底板部と前記閉塞部との隙間を塞ぐように前記載置板部から立設された立設壁と、を有することを特徴とするスペーサ。
【請求項２】
前記被支持部は、進行方向および上下方向を含む平面に沿うように前記載置板部から立設され、前記バンパに重なるように支持されるとともに、車幅方向において前記エクステンションの内側に配置され、
前記載置板部は、前記底板部に固定されて前記エクステンションを支持する被固定部を有することを特徴とする請求項１に記載のスペーサ。
【請求項３】
前記被固定部は、車幅方向に沿って固着部材が挿入される被挿入部を有することを特徴とする請求項２に記載のスペーサ。
【請求項４】
車幅方向に沿って延びるとともに端部においてタイヤ側に向いた開口を有するバンパと、前記開口を覆う閉塞部を有してホイールアーチを形成するフェンダライニングと、前記閉塞部に対して下方側に離隔して設けられる底板部を有するとともに前記バンパを下方に延長するように取り付けられるエクステンションと、請求項１〜３のいずれか１項に記載のスペーサと、を備えることを特徴とするバンパ構造。
【請求項５】
前記フェンダライニングは、前記閉塞部の下端に連続するとともにタイヤとは反対側に向かって延びるフランジ部を備え、
前記載置板部には、その上面から突出することで前記フランジ部に当接可能な凸部が設けられていることを特徴とする請求項４に記載のバンパ構造。
【発明の詳細な説明】
【技術分野】
【０００１】
本発明は、スペーサおよびバンパ構造に関するものである。
【背景技術】
【０００２】
従来、車両用のバンパとして、フェンダライナ（フェンダライニング）等の車体部品が連結される支持片を備えたエアロバンパが提案されている。（例えば、特許文献１参照）。エアロバンパは、一般的にノーマルバンパに較べて下端が低い位置に配置され、ノーマルバンパ用の車体部品を連結することが困難である。そこで、特許文献１に記載されたエアロバンパでは、バンパ本体の下端にヒンジを介して支持片を設け、ヒンジによって支持片を回動させることにより、この支持片にノーマルバンパ用の車体部品を連結するようになっている。
【先行技術文献】
【特許文献】
【０００３】
【特許文献１】特開２００２−３２６５４８号公報
【発明の概要】
【発明が解決しようとする課題】
【０００４】
ところで、ノーマルモデルに対してスポーツモデルの車両を提供する場合、上記のようにバンパ全体をエアロバンパに交換する方法以外に、ノーマルバンパの下側にエクステンションを取り付けてバンパを下方に延長する方法がある。このとき、ノーマルバンパを使用することから共通のフェンダライニングをバンパに連結することができるものの、フェンダライニングの下端はノーマルバンパの下端に合わせて配置されるため、エクステンションとフェンダライニングとの間に隙間が生じてしまう。このような隙間を埋めるためにフェンダライニングを新たに設計すると、エクステンションの有無によって異なるフェンダライニングを使用しなければならず、高コスト化の要因となる。
【０００５】
本発明の目的は、低コストでエクステンションを取り付けることができるスペーサを提供することにある。
【課題を解決するための手段】
【０００６】
本発明のスペーサは、車幅方向に沿って延びるとともに端部においてタイヤ側を向いた開口を有するバンパと、前記開口を覆う閉塞部を有してホイールアーチを形成するフェンダライニングと、前記閉塞部に対して下方側に離隔して設けられる底板部を有するとともに前記バンパを下方に延長するように取り付けられるエクステンションと、を備えたバンパ構造に設けられるスペーサであって、前記バンパおよび前記エクステンションのうち少なくとも一方に支持される被支持部と、前記底板部の上面に載置される載置板部と、前記底板部と前記閉塞部との隙間を塞ぐように前記載置板部から立設された立設壁と、を有することを特徴とする。
【発明の効果】
【０００７】
本発明のスペーサによれば、低コストでエクステンションを取り付けることができる。
【図面の簡単な説明】
【０００８】
【図１】本発明の実施例に係るバンパ構造を後方側から見た様子を示す斜視図である。
【図２】前記バンパ構造を示す斜視図である。
【図３】前記バンパ構造の要部を拡大して示す斜視図である。
【図４】前記バンパ構造の内部を示す斜視図である。
【図５】前記バンパ構造においてフェンダライニングを外した様子を示す斜視図である。
【図６】前記バンパ構造における接続構造を示す平面図である。
【図７】前記バンパ構造における接続構造を示す断面図である。
【発明を実施するための形態】
【０００９】
請求項１に記載された発明は、車幅方向に沿って延びるとともに端部においてタイヤ側を向いた開口を有するバンパと、開口を覆う閉塞部を有してホイールアーチを形成するフェンダライニングと、閉塞部に対して下方側に離隔して設けられる底板部を有するとともに前記バンパを下方に延長するように取り付けられるエクステンションと、を備えたバンパ構造に設けられるスペーサであって、バンパおよびエクステンションのうち少なくとも一方に支持される被支持部と、底板部の上面に載置される載置板部と、底板部と閉塞部との隙間を塞ぐように載置板部から立設された立設壁と、を有することを特徴とするスペーサである。
【００１０】
これにより、エクステンションの底板部とフェンダライニングの閉塞部との隙間をスペーサの立設壁によって塞ぐことにより、バンパにエクステンションを取り付ける場合に、エクステンションを取り付けない場合のフェンダライニングを流用することができる。従って、部品を共通化して低コストでエクステンションを取り付けることができる。
【実施例】
【００１１】
以下、本発明の実施例を図面に基づいて説明する。本実施例のバンパ構造１０は、図１〜３に示すように、車両後方側の構造であって、バンパ（リアバンパ）２と、フェンダライニング３と、エクステンション４と、スペーサ５と、を備える。尚、本実施例では、車幅方向をＸ方向とし、車両の進行方向をＹ方向とし、上下方向をＺ方向とする。また、Ｘ方向において車両の中央側を内側とし、端部側を外側とする。
【００１２】
バンパ２は、適宜な金属や樹脂によってＸ方向に沿って延びるように構成され、車両ボディの後方側に設けられることで衝撃から車両ボディを保護する。尚、本実施形態ではリアバンパであるバンパ２を有するバンパ構造（車両後方側の構造）１０について例示するが、フロントバンパを有するバンパ構造（車両前方側の構造）が同様の構成を有していてもよい。
【００１３】
バンパ２は、後方側を向いた後面部２１と、Ｘ方向外側を向いた側面部２２と、上方側を向いた上面部２３と、を有する。上面部２３は、Ｘ方向の両端部においてリアタイヤに向かって突出した突出部２３１を有している。バンパ２は、突出部２３１に対応した位置において前方側が車両ボディによって覆われず、前方側（リアタイヤ側）を向いた開口２４が形成されている。
【００１４】
フェンダライニング３は、例えば不織布等を有する変形容易な部材によってリアタイヤの外周面のうち上側略半分に沿うようにＸ方向視円弧状に形成され、ホイールアーチを形成する。フェンダライニング３のうちＹ方向後方側の部分が、バンパ２の開口２４を覆う閉塞部３１となる。図４に示すように、閉塞部３１の下端部は後方側（リアタイヤとは反対側）に向かって折り曲げられ、ＸＹ平面に沿って延びるフランジ部３２が形成されている。フランジ部３２には、エクステンション４の後述する底板部４４との固定部３２１が形成されている。
【００１５】
エクステンション４は、例えばバンパ２と同様の外観を有する部材によって構成され、バンパ２の下側に連続するように設けられる。エクステンション４は、後方側を向いた後面部４１と、Ｘ方向外側を向いた側面部４２と、前方側を向いた前面部４３と、バンパ２の下方側においてＸＹ平面に沿って延びる底板部４４と、を有する。エクステンション４の後面部４１がバンパ２の後面部２１に連続するように設けられ、エクステンション４の側面部４２がバンパ２の側面部４２に連続するように設けられることで、エクステンション４はバンパ２を下方に延長するように設けられる。
【００１６】
底板部４４は、フェンダライニング３の閉塞部３１に対して下方側に離隔して設けられ、図５に示すように、スペーサ５の後述する載置板部５１に固定される第１固定部４３１と、フェンダライニング３のフランジ部３２に固定される第２固定部４３２と、が形成されている。フェンダライニング３の固定部３２１及びエクステンション４の第２固定部４３２は、例えばボルト等の固着部材が挿通される挿通孔であり、ボルトとナットとが締結されることでフェンダライニング３とエクステンション４とが固定されるものであればよい。尚、閉塞部３１と底板部４４とは離隔しているが、底板部４４における第２固定部４３２の周辺がその他の部分よりも上方側に盛り上がっていることで、この周辺部分にはフランジ部３２が重ねられるようになっている。
【００１７】
スペーサ５は、例えばエクステンション４と同様の部材によって構成され、ＸＹ平面に沿った載置板部５１と、ＺＸ平面に沿うように載置板部５１から立設された立設壁５２と、ＹＺ平面に沿うように載置板部５１から立設された固定用立設壁５３と、立設壁５２と隣り合うように立設された重ね壁５４と、を有する。
【００１８】
載置板部５１は、エクステンション４の底板部４４の上面に載置され、底板部４４の前方側端縁に沿うようにＹ方向に延びている。載置板部５１は、底板部４４に固定されてエクステンション４を支持する被固定部５１１を有する。被固定部５１１は、例えば第１固定部４３１とともにボルト等の固着部材が挿通されるものであればよい。
【００１９】
載置板部５１には、その上面から突出することでフェンダライニング３のフランジ部３２に当接可能な凸部５１２が設けられている。凸部５１２は、ＹＺ平面に沿って延びるように立設された壁状に形成されるとともに、フランジ部３２の後方側に配置されている。フェンダライニング３に後方側への力が加わって変形しようとした際に、フランジ部３２が凸部５１２に当接して当該変形が規制されるようになっている。尚、凸部５１２は、フランジ部３２と常に当接する位置に配置されていてもよいし、多少の間隔をあけて配置され、フェンダライニング３が一定以上変形しないように設けられていてもよい。
【００２０】
立設壁５２は、エクステンション４の底板部４４とフェンダライニング３の閉塞部３１との隙間を塞ぐように、載置板部５１の前方側端縁が折り曲げられて立設されている。また、立設壁５２は、エクステンション４の前面部４３およびフェンダライニング３の閉塞部３１と略同一平面上に延びている。
【００２１】
固定用立設壁５３は、載置板部５１におけるＸ方向外側端部から立設され、図６、７に示すように、バンパ２の側面部２２における下端部２２１の外側に重ねられる。下端部２２１には固着部材６が挿通される挿通孔が形成され、固定用立設壁５３には固着部材６が挿入される被挿入部としてのボス５３１が形成されている。即ち、固定用立設壁５３がバンパ２に支持される被支持部として機能する。ボス５３１は、図６、７に示すように、Ｘ方向に沿って延び、Ｘ方向においてエクステンション４の側面部４２の内側に配置されて外部から隠されている。
【００２２】
重ね壁５４は、エクステンション４の前面部４３の後面側に重ねられる。Ｙ方向に延びる固着部材７が前面部４３および重ね壁５４に挿通されることにより、スペーサ５にエクステンション４が固定される。
【００２３】
以上のように、スペーサ５が被支持部としての固定用立設壁５３においてバンパ２に支持されるとともに、スペーサ５の被固定部５１１および重ね壁５４がエクステンション４に固定されている。即ち、エクステンション４は、スペーサ５を介してバンパ２に取り付けられる。
【００２４】
このような本実施例によれば、以下のような効果がある。即ち、エクステンション４の底板部４４とフェンダライニング３の閉塞部３１との隙間をスペーサ５の立設壁５２によって塞ぐことにより、バンパ２にエクステンション４を取り付ける場合であっても、エクステンション４を取り付けない場合のフェンダライニング３を流用することができる。従って、部品を共通化して低コストでエクステンション４を取り付けることができる。
【００２５】
また、スペーサ５のうちバンパ２に支持される被支持部としての固定用立設壁５３がＸ方向においてエクステンション４の側面部４２の内側に配置されていることで、外観を良好なものとすることができる。即ち、エクステンションの側面部の内面側にボスを形成してバンパに固定しようとすると、外面側に外観不良が発生しやすいのに対し、ボス５３１が形成された固定用立設壁５３を、ボスが形成されていないエクステンション４の側面部４２によって隠すことで、良好な外観を得ることができる。
【００２６】
また、スペーサ５の載置板部５１に、フェンダライニング３のフランジ部３２に当接可能な凸部５１２が設けられていることで、フェンダライニング３の変形を抑制し、外観を良好に保つことができる。
【００２７】
なお、本発明は、前記実施例に限定されるものではなく、本発明の目的が達成できる他の構成等を含み、以下に示すような変形等も本発明に含まれる。
【００２８】
例えば、前記実施例では、エクステンション４がスペーサ５を介してバンパ２に取り付けられるものとしたが、エクステンションがバンパ２に直接取り付けられる構成としてもよい。例えば、エクステンションの側面部がバンパ２に固定されることで支持され、スペーサがエクステンションに支持される構成としてもよい。このような構成では、スペーサの固定用立設壁を省略することができ、スペーサの構成を簡略化することができる。
【００２９】
また、前記実施例では、スペーサ５の載置板部５１に、フェンダライニング３のフランジ部３２に当接可能な凸部５１２が設けられるものとしたが、例えば立設壁が閉塞部の後面側に重ねられることでフェンダライニングの変形を抑制する構成としてもよい。また、フェンダライニングが充分に変形しにくい場合には、スペーサ５がフェンダライニングの変形を抑制するための部位を有していなくてもよい。
【００３０】
その他、本発明を実施するための最良の構成、方法などは、以上の記載で開示されているが、本発明は、これに限定されるものではない。すなわち、本発明は、主に特定の実施例に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３１】
１０        バンパ構造
２          バンパ
２４        開口
３          フェンダライニング
３１        閉塞部
３２        フランジ部
４          エクステンション
４４        底板部
５          スペーサ
５１        載置板部
５１１      被固定部
５１２      凸部
５２        立設壁
５３        固定用立設壁（被支持部）
５３１      ボス（被挿入部）
６          固着部材
【図１】
2018043712.tif 000003
【図２】
2018043712.tif 000004
【図３】
2018043712.tif 000005
【図４】
2018043712.tif 000006
【図５】
2018043712.tif 000007
【図６】
2018043712.tif 000008
【図７】
2018043712.tif 000009